(57)【要約】【課題】袋内により簡単に商品を収納することができるとともに、ラッピングした商品を取り出した後に、再度包装するに際して改めてラッピングし直す必要がない新規な包装袋を提供する。【解決手段】袋本体１１と、前記袋本体１１の上縁に形成された上縁開口部１２と、前記袋本体１１の側面に前記上縁開口部１２から下方に向けてその下端部２５が円形に湾曲して形成された側面開口部２０とを備えたことを特徴とする。特に、前記側面開口部２０が、前記袋本体１１の全長に対して１／１０〜９／１０の長さで形成され、前記側面開口部２０の前記下端部２５が側面視Ｕ字状に形成されている。【選択図】図２
0003145873.tif 000002
【実用新案登録請求の範囲】
【請求項１】
袋本体と、前記袋本体の上縁に形成された上縁開口部と、前記袋本体の側面に前記上縁開口部から下方に向けてその下端部が円形に湾曲して形成された側面開口部とを備えたことを特徴とする包装袋。
【請求項２】
前記側面開口部が、前記袋本体の全長に対して１／１０〜９／１０の長さで形成されている請求項１に記載の包装袋。
【請求項３】
前記側面開口部の前記下端部が側面視Ｕ字状に形成されている請求項１又は２に記載の包装袋。
【請求項４】
前記袋本体内に被包装物が収納された後に前記上縁開口部の下部でひも状物により束縛される請求項１ないし３のいずれか１項に記載の包装袋。
【考案の詳細な説明】
【技術分野】
【０００１】
本考案は、菓子や果物等の商品を包装するための包装袋に関する。
【背景技術】
【０００２】
菓子や果物等の商品を店頭に陳列する際には、商品のイメージ等に応じて適宜のラッピングが施される。その際、商品を包装するとともに見た目もよくする方法としては、例えば、上部が開口した袋に商品を収納した後、リボン等を用いて装飾するとともに開口部を束縛する等が一般的である。
【０００３】
しかしながら、上のように商品を袋に収納する場合には、袋上部の開口部分を大きく開いてその上方から商品を袋内に挿入するため、例えば、比較的大きな商品や変形しやすい商品等を挿入する場合には、商品が収納しにくく作業が繁雑になるという問題があった。特に、型くずれしやすい商品等を扱う場合は、商品の収納がより困難となる。また、従来では、商品をラッピングしてしまうと、包装された商品を取り出す際には一度ラッピングを解く必要があった。そして、取り出した商品を再度包装する場合等には、改めてラッピングし直さなければならないため、作業効率が悪くなるおそれがあった。
【考案の開示】
【考案が解決しようとする課題】
【０００４】
本考案は前記の点に鑑みなされたものであり、袋内により簡単に商品を収納することができるとともに、ラッピングした商品を取り出した後に、再度包装するに際して改めてラッピングし直す必要がない新規な包装袋を提供するものである。
【課題を解決するための手段】
【０００５】
すなわち、請求項１の考案は、袋本体と、前記袋本体の上縁に形成された上縁開口部と、前記袋本体の側面に前記上縁開口部から下方に向けてその下端部が円形に湾曲して形成された側面開口部とを備えたことを特徴とする包装袋に係る。
【０００６】
請求項２の考案は、前記側面開口部が、前記袋本体の全長に対して１／１０〜９／１０の長さで形成されている請求項１に記載の包装袋に係る。
【０００７】
請求項３の考案は、前記側面開口部の前記下端部が側面視Ｕ字状に形成されている請求項１又は２に記載の包装袋に係る。
【０００８】
請求項４の考案は、前記袋本体内に被包装物が収納された後に前記上縁開口部の下部でひも状物により束縛される請求項１ないし３のいずれか１項に記載の包装袋に係る。
【考案の効果】
【０００９】
請求項１の考案に係る包装袋は、袋本体と、前記袋本体の上縁に形成された上縁開口部と、前記袋本体の側面に前記上縁開口部から下方に向けてその下端部が円形に湾曲して形成された側面開口部とを備えたため、袋内により簡単に商品を収納することができるとともに、被包装物をラッピングした後であっても、ラッピングを解くことなく容易に収納または取り出しを行うことができ、ラッピング作業の効率化を図ることができる。
【００１０】
請求項２の考案によれば、請求項１において、前記側面開口部が、前記袋本体の全長に対して１／１０〜９／１０の長さで形成されているため、被包装物を安定して収納することができるとともに、ラッピング後であってもラッピングを解くことなくより簡単かつ効果的に被包装物の収納または取り出しができる。
【００１１】
請求項３の考案によれば、請求項１又は２において、前記側面開口部の前記下端部が側面視Ｕ字状に形成したため、側面開口部から袋本体により亀裂等の損壊が生じる可能性を低減させることができる。
【００１２】
請求項４の考案によれば、請求項１ないし３において、前記袋本体内に被包装物が収納された後に前記上縁開口部の下部でひも状物により束縛されるため、容易で手早くかつ効果的に装飾を施すことが可能である。
【考案を実施するための最良の形態】
【００１３】
以下添付の図面に従ってこの考案を詳細に説明する。
図１は本考案の第一実施例に係る包装袋の斜視図、図２は図１の包装袋を用いて商品をラッピングした状態を表す斜視図、図３は図１の包装袋の平面図、図４は図３の側面開口部の正面図、図５は他の実施例に係る包装袋の平面図、図６は図５の側面開口部の正面図である。
【００１４】
図１，２に示す本考案の一実施例に係る包装袋１０は、袋本体１１と、袋本体１１の上縁に形成された上縁開口部１２と、袋本体１１の側面に形成された側面開口部２０とを備える。図において、符号Ｍは菓子や果物等のラッピングされる商品（被包装物）を表す。
【００１５】
袋本体１１は、ポリエチレン（ＰＥ）、ポリプロピレン（ＰＰ）、ポリ塩化ビニル（ＰＶＣ）、セロファン等の公知の樹脂フィルムや、不織布等からなる。上縁開口部１２は、袋本体１１上縁の全周にわたって開口するように形成されている。また、実施例の袋本体１１では、下部に公知のスタンディングパウチ加工が施された底面部１３が形成されている。これにより、被包装物Ｍを袋本体１１内に安定して収納することができ、しかも、当該包装袋１０を自立させることが可能となるので陳列しやすくなる。
【００１６】
側面開口部２０は、図１に示すように、袋本体１１の側面に上縁開口部１２から下方に向けて形成されており、上縁開口部１２と連通して開口するように構成される。そのため、上縁開口部１２と側面開口部２０とで連通する開口部分を介して被包装物Ｍの収納または取り出しを行うことが可能となる。すなわち、従来に比して被包装物Ｍの収納または取り出しを行うための開口部分を大きく形成することができ、比較的大きな商品や型くずれしやすい商品等を扱う場合であっても、極めて容易に袋本体１１内へ収納することが可能となる。この側面開口部２０は、公知の切断装置等を用いて、複数枚の袋本体１１を重ねた状態で上縁開口部１２を含む袋本体１１の一端を一括して裁断して形成される。
【００１７】
また、側面開口部２０は、図２に示すように、後述するラッピング後において、袋本体１１の側面に被包装物Ｍの出し入れが可能な大きさの開口部分２１を形成するように構成される。側面開口部２０の長さとしては、収納した被包装物Ｍが横滑り等した際に袋本体１１外に出ることがなく、さらに、袋本体１１をラッピングした状態で被包装物Ｍの収納または取り出しが可能な適宜の長さで形成される。特には、袋本体１１の全長に対して約１／１０〜９／１０の長さで形成することが好ましい。なお、側面開口部２０の幅は、例えば、約１０ｍｍである。
【００１８】
この側面開口部２０では、図１，２に示すように、側面開口部２０から亀裂等の損壊を生じにくくするために、その下端部２５が円形に湾曲して形成されている。この下端部２５の形状としては、袋本体１１の下方に向かって鋭角となる部分等が形成されると亀裂等が生じやすくなることから、例えば、図３，４において符号２５ａに示すように、下方に向かって湾曲させて鋭角部分が形成されない正面視Ｕ字状とすることができる。これにより、側面開口部２０から亀裂等の損壊が生じる可能性を低減することができる。
【００１９】
また、この下端部２５にあっては、図５，６において符号２５ｂに示すように、側面視Ｕ字状に形成することが好ましく勧められる。この下端部２５ｂは、図６に示すように、中央部分２６が上方に向かって突出した形状となるため、例えば、左右又は上下方向の張力等に対してもより亀裂等の損壊を発生しにくくする利点がある。
【００２０】
このように構成された包装袋１０では、上縁開口部１２が側面開口部２０とともに開口された状態で被包装物Ｍを袋本体１１内へ挿入可能であるから、極めて容易に袋本体１１内に収納することができる。そして、被包装物Ｍを袋本体１１内に収納した後、上縁開口部１２自身を結んだり、クリップ等の器具を用いて開口状態の上縁開口部１２を閉鎖する等、適宜の手法によって被包装物Ｍのラッピングが行われる。
【００２１】
このラッピングに際し、特に、図２に示すように、ひも状物３０によって上縁開口部１２の下部を束縛することが好ましい。ひも状物３０としては、リボン、テープ、帯等、上縁開口部１２の下部を束縛可能で、束縛時に装飾性を有する適宜のものが用いられる。これにより、上縁開口部１２の閉鎖を容易に行うことができるだけでなく、ひも状物３０によって包装袋１０を容易で手早くかつ効果的に装飾を施すことが可能である。
【００２２】
また、この包装袋１０にあっては、側面開口部２０を備えることにより、上記の如く被包装物Ｍをラッピングした後であっても、ラッピングを解くことなく側面開口部２０を介して収納された被包装物Ｍを容易に取り出すことができる。さらに、被包装物Ｍを再度ラッピングする際には、従来であれば改めてラッピングし直す必要があったが、上記取り出し時と同様に、ラッピングを解くことなく容易に被包装物Ｍを収納することができる。
【００２３】
なお、本考案の包装袋は、前述の実施例のみに限定されるものではなく、考案の趣旨を逸脱しない範囲において構成の一部を適宜に変更して実施することができる。実施例では、袋本体の下部にスタンディングパウチ加工を施して底面部を形成した包装袋を使用したが、これに限定されるものではない。例えば、自立可能な公知のガゼット袋の他、公知の平袋等を利用して構成することができる。
【図面の簡単な説明】
【００２４】
【図１】本考案の第一実施例に係る包装袋の斜視図である。
【図２】図１の包装袋を用いて商品をラッピングした状態を表す斜視図である。
【図３】図１の包装袋の平面図である。
【図４】図３の側面開口部の正面図である。
【図５】他の実施例に係る包装袋の平面図である。
【図６】図５の側面開口部の正面図である。
【符号の説明】
【００２５】
１０  包装袋
１１  袋本体
１２  上縁開口部
１３  底面部
２０  側面開口部
２５  下端部
３０  ひも状物
Ｍ  被包装物
【図１】
0003145873.tif 000003
【図２】
0003145873.tif 000004
【図３】
0003145873.tif 000005
【図４】
0003145873.tif 000006
【図５】
0003145873.tif 000007
【図６】
0003145873.tif 000008